(57)【要約】【課題】本考案は、厚紙による折り畳み形状型の円筒形収納・陳列箱であり、立体成型の組み立てと撤収に時間をかけず、組み立て後の形状も安定させることが出来て、且つ、使用後の廃棄処理も環境問題も考慮し容易にする。【解決手段】本考案は、基本的に４つの厚紙パーツで形成され、糊しろ部分を接着して、組み立て前は平たい形状としておく。平板な状態で６および７の接着部分２を下方へ押し込むと６および７の部分が外側に押し出され、円筒形になると同時に、３のフックが４のフックホルダーに収まり固定される。フックの切り込みはテーパー状になっており、６と７の側面の接着部分を両手で外側に引っ張ると容易にフックが切り込みから外れ平面に戻る。立体時には１の円筒スペースの中に商品を収納・展示することが出来る。【選択図】図１
0003105345.tif 000002
【実用新案登録請求の範囲】
【請求項１】
厚紙に切れ目と折りのタニとヤマや糊しろ等を設けるよう型枠で成型、型抜きして、糊しろには接着加工を施す。平たい形で納品し、ワンタッチで円筒形の立体形状化する。成型した場合に、予め紙に型抜きした穴があり、その穴に、やはり予め型抜きした紙のフックが嵌るようにして、立体形状を安定させる。立体形状は安定しているものの、再度平面に戻す時は、容易に戻せるようにした円筒型商品収納・展示箱。
【考案の詳細な説明】
【技術分野】
【０００１】本考案は、折畳み式で、平たい形状からワンタッチで円筒形の立体形状の収納小箱に変形する。厚紙で円筒立体形状が安定するよう細工し、更に用意に平版に戻せるようにした折り紙細工に関するものである。
【背景技術】
【０００２】店頭もしくは展示会場で商品を円形の箱に収納・展示するためには、成型に時間がかからず、丈夫で円筒形状が安定したディスプレー用収納箱が必要であった。
【考案の開示】
【考案が解決しようとする課題】
【０００３】店頭もしくは展示会場での円筒形収納・展示箱は、運搬時に容積が嵩張る。また、通常の折り畳み形状型であると、陳列配置のための組み立てと撤収に時間を多く要する。また、組み立て後の形状を安定させるために、アクリル等の材質のものを使うと使用後の廃棄処理に問題があったが、それらの欠点を解決しようとするものである。
【課題を解決するための手段】
【０００４】ワンタッチで、平板から立体形状に瞬時に変形でき、厚紙であることから加工が用意であり、さらに止めフックがあることから形状が安定する。折り紙式の加工品であることから運搬時および使用しない収容時に場所を取らず、使用後の廃棄および再生焼却処理が安易であり問題点を解決している。
【考案の効果】
【０００５】上述の様に、本考案のワンタッチ円筒型商品収納・展示箱は、運搬時に平たい形状に収まり、厚紙であることから軽く、さらに立体形状化するのにワンタッチで時間がかからず、使用時は形状が安定しており、撤収時は瞬時に平たい形状に戻り、使用後の廃棄、再生、焼却がし易い。
【考案を実施するための最良の形態】
【０００６】本考案の実施の形態について図面を参照しながら説明する。まず、図１は円筒型収納・展示箱の組み立て後の立面図を示し、図２は立体組み立てまえの本体図を示す。また、図４は本体を利用した応用使用例を示す。図５から図８は本体部品展開図を示す。この円筒型収納・展示箱は、展開７と展開図８の底面と展開図５と展開図６の側面とで構成されており、それらを接着することにより、本体を形成する。図２の２を図３のように下方へ押し出し、３を４に嵌めることにより、円筒型の箱体形状を呈する。
【実施例】
【０００７】本考案は主に、商品の収納箱、あるいは商品の陳列台としての使用を主な目的としているが、デザインの演出として容易にかつ手軽にスポーツの競技場など円筒型のものを模すために利用できることは勿論である。また、図４のごとく５の宣伝文用の板を取り付けた上で商品の展示を行うことにより、店頭での販売促進効果をよりあげることが期待出来る。
【図面の簡単な説明】
【０００８】
【図１】本考案のワンタッチ円筒型商品収納・展示箱の組み立て後の一実施例を示す完成立面図である。
【図２】本円筒型商品収納・展示箱を折り畳んだ状態の正面図である。
【図３】本円筒型商品収納・展示箱の組み立て途中の立面図である。
【図４】本円筒型商品収納・展示箱に説明ボード部品を加えた場あいの一実施例を示す使用時を示す立面図である。
【図５】本円筒型商品収納・展示箱の一方の側面部分の展開部品図である。
【図６】本円筒商品収納・展示箱の図５と対を成す、もう一方の側面部分の展開部品図である。
【図７】本円筒型商品収納・展示箱の底面の展開部品図である。
【図８】図７と対を成す底面の展開部品図である。
【符号の説明】
【０００９】１    円筒型商品収納・展示箱本体
２    底面上部
３    フック
４    フックホルダー
５    宣伝文用の板
６    円筒型商品収納・展示箱の側面
７    ６と対を成す、円筒型商品収納・展示箱の側面
【図１】
0003105345.tif 000003
【図２】
0003105345.tif 000004
【図３】
0003105345.tif 000005
【図４】
0003105345.tif 000006
【図５】
0003105345.tif 000007
【図６】
0003105345.tif 000008
【図７】
0003105345.tif 000009
【図８】
0003105345.tif 000010
【手続補正書】
【提出日】平成16年3月30日(2004.3.30)
【手続補正１】
【補正対象書類名】実用新案登録請求の範囲
【補正対象項目名】全文
【補正方法】変更
【補正の内容】
【実用新案登録請求の範囲】
【請求項１】
円筒と、
その円筒の内面において、１つの内径方向にて固定される底面上部と、
上記円筒および上記底面上部の双方において、上記底面上部の径方向に設けられた折り目と、
上記底面上部に連接するフックと、
上記折り目を伸ばして、上記底面上部にて上記円筒の開口部を閉じる際に、上記円筒の内面における上記フックの挿入位置にあけられたフックホルダーと、
を備え、
上記折り目にて、上記フックを上記フックホルダーから外して、上記底面上部および上記円筒を２つ折りにして平板状とし、
かつ上記折り目を伸ばし、上記フックを上記フックホルダーに嵌めて立体形状に組立てられる構成としたことを特徴とするワンタッチ円筒型商品収納・展示箱。
【手続補正２】
【補正対象書類名】明細書
【補正対象項目名】０００６
【補正方法】変更
【補正の内容】
【０００６】  本考案の実施の形態について図面を参照しながら説明する。まず、図１は円筒型収納・展示箱の組み立て後の立面図を示し、図２は立体組み立てまえの本体図を示す。また、図４は本体を利用した応用使用例を示す。図５から図８は本体部品展開図を示す。この円筒型収納・展示箱は、本体１と、側面６と、側面７と、底面上部２と、当該底面上部２と対となる底面下部（図８に図示）とで主に構成されている。側面６と側面７とは、環状に接続されて円筒となる。底面上部２の径方向に設けられた折り目から、円筒と底面上部２を折りたたんで平板状としたり、その折り目を伸ばして、底面上部２を底面下部を図３のように下方へ押し出し、フック３をフックホルダー４に嵌めることにより、円筒型の箱体形状にできる。
【手続補正３】
【補正対象書類名】明細書
【補正対象項目名】０００７
【補正方法】変更
【補正の内容】
【０００７】  本考案は主に、商品の収納箱、あるいは商品の陳列台としての使用を主な目的としているが、デザインの演出として容易にかつ手軽にスポーツの競技場など円筒型のものを模すために利用できることは勿論である。また、図４のごとく、宣伝文用の板５を取り付けた上で商品の展示を行うことにより、店頭での販売促進効果をよりあげることが期待できる。
【手続補正４】
【補正対象書類名】明細書
【補正対象項目名】０００９
【補正方法】変更
【補正の内容】
【０００９】１  本体
２  底面上部
３  フック
４  フックホルダー
５  宣伝文用の板
６  側面（円筒の一構成部分）
７  側面（円筒の一構成部分）
【手続補正書】
【提出日】平成16年7月13日(2004.7.13)
【手続補正１】
【補正対象書類名】実用新案登録請求の範囲
【補正対象項目名】全文
【補正方法】変更
【補正の内容】
【実用新案登録請求の範囲】
【請求項１】
円筒と、
その円筒の内部に配置され、その円筒の内面において対向する２箇所で固定される底面上部と、
上記円筒において、対向する２箇所に、その円筒の軸方向に形成された第１の折り目と、
上記第１の折り目にて折り畳んだ状態の上記円筒と同方向に折り畳み可能となるように、上記底面上部の径方向に形成された第２の折り目と、
上記底面上部に連接するフックと、
第１の折り目上に設けられたフックホルダーと、
を備え、
上記フックは、組み立て後においては、上記第１の折り目と上記第２の折り目の双方の伸張で上記フックホルダーに嵌まり、折り畳んだ状態では、上記第１の折り目と上記第２の折り目の双方の折り曲げで上記フックホルダーから外れることを特徴とするワンタッチ円筒型商品収納・展示箱。